(57)【要約】  本発明は、計数結果の信頼性を向上させるとともに、再鑑計数処理が終了した状態で所望の分類形態を得ることができて利便性の向上した紙幣処理機を提供するために、計数対象紙幣を受け入れる受入部と、前記受入部から取り込まれた前記計数対象紙幣の金種を含む属性について識別する識別部と、前記識別部による識別結果に基づいて分類された紙幣を分類態様に応じて収納する収納部と、計数モードおよび集積モードを選択可能な操作部と、前記操作部により計数モードとして再鑑モードが選択されたときには、計数対象紙幣を取り込んで初回計数処理を行い、指定された第１の集積モードで前記複数の集積部に収納し、この第１の集積モードで集積された紙幣について再鑑計数処理を行い、前記第１の集積モードとは異なる、指定された第２の集積モードで前記複数の集積部に収納し、初回計数処理と再鑑計数処理における金種毎の枚数についてその一致／不一致を判断する再鑑計数処理制御部とを備える。
2008044278.tif 000002
【特許請求の範囲】
【請求項１】
計数対象紙幣を受け入れる受入部と、
前記受入部から取り込まれた前記計数対象紙幣の金種を含む属性について識別する識別部と、
前記識別部による識別結果に基づいて分類された紙幣を分類態様に応じて収納する収納部と、
計数モードおよび集積モードを選択可能な操作部と、
前記操作部により計数モードとして再鑑モードが選択されたときには、計数対象紙幣を取り込んで初回計数処理を行い、指定された第１の集積モードで前記複数の集積部に収納し、この第１の集積モードで集積された紙幣について再鑑計数処理を行い、前記第１の集積モードとは異なる、指定された第２の集積モードで前記複数の集積部に収納し、初回計数処理と再鑑計数処理における金種毎の枚数についてその一致／不一致を判断する再鑑計数処理制御部とを備えた紙幣処理機。
【請求項２】
前記識別部は少なくとも金種、新旧、方向（表裏および正立／倒立）、正損についての識別と枚数計数が可能なものであることを特徴とする、請求項１に記載の紙幣処理機。
【請求項３】
前記集積部は少なくとも４つ設けられたことを特徴とする請求項２に記載の紙幣処理機。
【請求項４】
金種混在紙幣を計数対象とし、  
前記初回計数処理では、前記複数の集積部に対して新券と旧券を２つずつの集積部に割当て、前記再鑑計数処理では、金種毎に各集積部に集める仕分けを行うことを特徴とする請求項３に記載の紙幣処理機。
【請求項５】
金種混在紙幣を計数対象とし、
前記初回計数処理では、前記複数の集積部に対して方向別に割当て、前記再鑑計数処理では、金種毎に各集積部に集積させる仕分けを行うことを特徴とする請求項３に記載の紙幣処理機。
【請求項６】
金種混在紙幣を計数対象とし、
前記初回計数処理では、前記複数の集積部に対して正券と損券を２つずつの集積部に割当て、前記再鑑計数処理では、金種毎に各集積部に集積させる仕分けを行うことを特徴とする請求項３に記載の紙幣処理機。
【請求項７】
金種混在紙幣を計数対象とし、
前記初回計数処理では、前記複数の集積部に対して新券／旧券と正券／損券の組み合わせで各集積部に割当て、前記再鑑計数処理では、金種毎に各集積部に集積させる仕分けを行うことを特徴とする請求項３に記載の紙幣処理機。
【請求項８】
金種の揃った紙幣を計数対象とし、
前記初回計数処理では、前記複数の集積部に対して新券と旧券を２つずつの集積部に割当て、前記再鑑計数処理では、方向毎に各集積部に集積させる仕分けを行うことを特徴とする請求項３に記載の紙幣処理機。
【請求項９】
金種の揃った紙幣を計数対象とし、
前記初回計数処理では、前記複数の集積部に対して新券と旧券を２つずつの集積部に割当て、前記再鑑計数処理では、正券と損券を２つずつの集積部に割当てて金種毎に各集積部に集積させる仕分けを行うことを特徴とする請求項３に記誠の紙幣処理機。
【請求項１０】
金種の揃った紙幣を計数対象とし、
前記初回計数処理では、前記複数の集積部に対して方向毎に集積部に割当て、前記再鑑計数処理では、正券と損券を２つずつの集積部に割当てて集積させる仕分けを行うことを特徴とする請求項３に記誠の紙幣処理機。
【請求項１１】
金種の揃った紙幣を計数対象とし、
前記初回計数処理では、前記複数の集積部に対して方向毎に集積部に割当て、前記再鑑計数処理では、新券と旧券を２つずつの集積部に割当てて集積させる仕分けを行うことを特徴とする請求項３に記誠の紙幣処理機。
【発明の詳細な説明】
【技術分野】
【０００１】
本発明は紙幣処理機に関するもので、特に再鑑計数処理モードを備えた紙幣仕分機に関するものである。
【従来の技術】
【０００２】
紙幣に関する種々の処理を行う紙幣処理機の一つとして、金種別に紙幣を仕分ける紙幣仕分機があり、この紙幣仕分機には、再鑑計数処理モードを持つものがある。この再鑑計数処理モードとは、計数結果の信憑性を担保する目的で、一回計数を行った紙幣を改めて複数回数え直すモードである。
【０００３】
この再鑑計数処理モードは日本国にあっては主にパチンコ市場で、米国にあってはカジノ市場でニーズが高く、再鑑処理が法律で義務づけられている国もある。
【０００４】
再鑑計数処理モードを備えた紙幣処理機として、例えば実開平5-52970号公報に示されるものがある。
【０００５】
この公報に開示されている技術は、枚数設定手段により設定された枚数と実際に計数した枚数とに差異があった場合、計数枚数表示を点滅させて操作者に注意を促すというものである。
【発明の開示】
【０００６】
上記公報で示される再鑑計数処理モードは単に計数結果の差異を報知するというものであり、この思想を多数の種類の紙幣を分類する機能を有する紙幣仕分機に適用しても合理的ではない。
【０００７】
本発明は、再鑑計数処理において同一の対象紙幣を複数回（通常は2回）に亘って処理することに着目し、複数の集積部を有する紙幣処理機において、計数結果の信頼性を向上させるとともに、再鑑計数処理が終了した状態で所望の分類形態を得ることができて利便性の向上した紙幣処理機を提供することを目的とする。
【０００８】
本発明によれば、計数対象紙幣を受け入れる受入部と、
前記受入部から取り込まれた前記計数対象紙幣の金種を含む属性について識別する識別部と、
前記識別部による識別結果に基づいて分類された紙幣を分類態様に応じて収納する収納部と、
計数モードおよび集積モードを選択可能な操作部と、
前記操作部により計数モードとして再鑑モードが選択されたときには、計数対象紙幣を取り込んで初回計数処理を行い、指定された第１の集積モードで前記複数の集積部に収納し、この第１の集積モードで集積された紙幣について再鑑計数処理を行い、前記第１の集積モードとは異なる、指定された第２の集積モードで前記複数の集積部に収納し、初回計数処理と再鑑計数処理における金種毎の枚数についてその一致／不一致を判断する再鑑計数処理制御部とを備えた紙幣処理機が提供される。
【０００９】
このような紙幣処理機によれば、複数個設けられた集積部への集積態様を初回の計数処理と再鑑計数処理で変更することにより、初回計数処理における集積結果を効果的に用いる事が可能となって、紙幣の整理を容易化するとともに、計数における信憑性を向上させることができる。
【図面の簡単な説明】
【００１０】
【図１】本発明にかかる紙幣処理機の外観を示す斜視図である。
【図２】図１に示した紙幣処理機の概略内部構造を示す透視正面図である。
【図３】図１に示した紙幣処理機の制御系を示すブロック図である。
【図４】種々の再鑑モードにおいて、初回の計数処理と再鑑計数処理において集積部の割当を説明する図表である。
【図５】図５は本発明にかかる紙幣処理機における計数処理動作を詳細に示すフローチャートである。
【好適な実施の形態】
【００１１】
図１は本発明にかかる紙幣処理機の一実施例としての紙幣仕分機１００の外観を示す斜視図である。
【００１２】
同図において、上面の一方側側方には、処理すべき紙幣を積層状態で載置し、分離繰り出しにより取り込むホッパ１０１が設けられ、他方側には取り込まれた紙幣が後述する識別の結果、リジェクトされる紙幣を排出するためのリジェクト部１０２が設けられている。
【００１３】
前面上方中央部には、本発明が関連する再鑑計数処理モードを含む種々の処理モードを選択するための操作部１０３が設けられ、これに隣接して２つの表示部１０４および１０５が設けられている。操作部１０３はオペレータが指示を与えるための入力キーを備える。
【００１４】
表示部１０４および１０５は全体情報の表示を行うものである。
【００１５】
紙幣仕分け機１００の下部には集積部１１１から１１４が形成されており、仕分け後の紙幣を容易に取り出すことができるように、前面は開放されている。この集積部の数は仕分けられる紙幣の種類の数と一致することが好ましく、この例では4つの集積部とした例を示している。
【００１６】
各集積部１１１−１１４に対応して、その上部に各集積部独自の情報を表示する個別表示部１２１−１２４がそれぞれ設けられている。  
図２は図１に示す紙幣仕分機１００の概略内部構造を示す透視正面図であり、主に搬送系とセンサ系を示している。
【００１７】
ホッパ１０１から紙幣を搬送する搬送路２０１が各集積部に至るまで形成されており、この搬送路は通常の場合、ベルト搬送機構が組み合わされたものである。この搬送路に沿って種々のセンサ２０２〜２１３が設けられている。ホッパ１０１の出口側に設けられたセンサ２０２と次の識別部２２０の入口側に設けられたセンサ２０３は紙幣の通過時間より確実に取り込まれたこと、２枚送りがないことを検知する。識別部２２０中には種々の検知手段が設けられていて取り込まれた紙幣の正損、真偽、金種、方向、表裏などが検知されるが、代表的に示されたセンサ２０４は例えば透過センサで光の透過率により金種や真偽を検知する。
【００１８】
識別部２２０に連結されたリジェクト部１０２には識別部２２０で仕分け対象から除外される紙幣を分岐部材２３１を動作させてリジェクトする。センサ２０５はリジェクト紙幣が存在していることを検知するものである。仕分け対象とされた紙幣はセンサ２０６で搬送状態を検知されながら搬送され、金種に応じて分岐部材２３２，２３３，２３４が適宜切り換えられ、集積部１１１−１１４のうち該当する集積部に収納される。紙幣の収納状況は残留検知センサ２２１−２２４により検知される。
【００１９】
図３は本発明にかかる紙幣処理機における制御系を示すブロック図である。
【００２０】
マイクロプロセッサ等からなる制御部２００には指令を入力する操作部１０３が接続され、装置内の識別部２２０およびセンサ２０２−２２４からの信号が入力される。
【００２１】
制御部２００はこれらの指令や信号に基づいて、制御対象であるホッパ１０１，搬送系２０１および２３１−２３４，集積部１１１−１１４，リジェクト部１０２等を制御するとともに、表示部１０４，１０５、１０７に必要な情報を表示するとともに、エラー等の発生に対しては警報部１０８から警報を発することができるようになっている。また、制御部２００には必要なプログラムを格納するとともに演算結果とを記憶するメモリ２５０が接続されている。
【００２２】
以上の図を用いて仕分け動作について説明する。ここでは集積部１１１−１１４をそれぞれ日本の紙幣を例にとって、干円札（金種１）、二千円札（金種２）、五千円札（金種３）及び万円札（金種４）の4金種に割当て、ホッパ１０１に載置される紙幣はこれらの金種が混在しかつ表裏や紙幣の向きが混在しているもの計数対象とする。
【００２３】
従来の紙幣仕分け機では、金種の判断を行って金種別に枚数を計数しており、初回の計数処理が終了後、その紙幣を再度ホッパに戻して再鑑計数処理として２回目の計数を行い、その計数結果を初回の計数結果と照合して金種と金額に誤りがないことを確認している。
【００２４】
このためには、金種毎の計数さえできれば計数後の紙幣を収納する集積部は金種別である必要もないため、１種類でも足りる。
【００２５】
これに対し、本願発明においては、集積部を複数とし、初回の計数処理と、再鑑計数処理で集積の態様を変えることを可能としている。このような集積態様を変えた再鑑処理については前述した操作部１０３において、後述する予めプログラムされた種々の再鑑モードを例えば表示部１０４に表示されたものから選択することにより行われる。
【００２６】
図４は種々の再鑑モード１−８において、初回の計数処理と再鑑計数処理において集積部の割当を説明する図表である。この表において、左側は初回計数、右側は再鑑計数において選択できる集積モードを指定する様子が示されている。この集積モード上も表示部１０４の表示を見ながら、操作部１０３により指定される。
【実施例１】
【００２７】
図４中の再鑑モード１について説明する。ここでは、計数対象紙幣は金種が混合されたものであり、初回の計数後の集積は紙幣デザイン変更のあったものについて新旧別に行い、再鑑計数後の集積は金種別に行うようにしている。このため、初回計数後の集積は、集積部１１１と１１２を新券用、集積部１１３と１１４を旧券用に割り当てて行われ、集積部１１１と１１３に優先度が与えられ、これらが満杯になったら２番目の集積部１１２，１１４にそれぞれ集積先が変更される。【００２８】
まず、ホッパ１０１に新旧混合かつ金種混合の紙幣が載置されると、操作部から再鑑モード１の指定入力がなされると、分離繰出し動作によって最下層の紙幣から順次1枚ずつ装置内部に送り込まれ、識別部２２０を通過する際に、紙幣の正損、真偽、金種、向き及び枚数が確認され、明らかな偽券および認識不能券については分岐部材２３１をリジェクト部側に切り換えてリジェクトする。【００２９】
他の紙幣については搬送路２０１を通過し、識別部２２０での認識結果に基づいて分岐部材２３２−２３４を切換え、集積部１１１と１１２に新券が、集積部１１３と１１４に旧券が集積される。これらの集積部にそれぞれ設けられた個別表示部は、各集積部での紙幣集積の有無や枚数を簡便に表示する。【００３０】
ホッパ上の紙幣が無くなると図示しないホッパセンサにより紙幣無しの信号が出力されるので、この時点での金種別枚数と合計金額が装置の記憶部に記憶されるとともに、金種別の計数結果が、例えば表示部１０５に初回計数結果として表示される。【００３１】
この初回計数後には集積部１１１と１１２に新券が、集積部１１３と１１４に旧券が集積されているため、それぞれの集積部内での新旧混合は生じていない。【００３２】
次に再鑑計数処理を行う。集積部１１１−１１４から取り出した紙幣をホッパ１０１上にこの順に載置し、再度計数を開始する。この再鑑計数処理時には、前述したように、集積部１１１−１１４はそれぞれ干円札、二千円札、五千円札及び万円札の4金種に割当てられている。【００３３】
初回の計数と同様に、ホッパ１０１から繰り出され、識別部２２０で紙幣の正損、真偽、金種、向き及び枚数が確認され、このうちの金種に基づいて、分岐部材２３２−２３４を切換え、各金種に対応した集積部１１１−１１４に集積が行われる。ホッパ１０１上の紙幣が無くなると図示しないホッパセンサにより紙幣無しの信号が出力されるので、この時点での金種別枚数と合計金額が装置の記憶部に記憶されるとともに、表示部１０５に再鑑計数結果が表示される。表示部１０５には初回の計数結果も併せて表示され、これらが一致、不一致についてのメッセージも表示される。【００３４】
この再鑑計数処理が終了した時点で、各集積部には各金種について下側に新券、上側に旧券が揃ったものが集積されることになる。【００３５】
図５は以上の動作を整理した、本発明にかかる紙幣仕分け機における計数処理動作を詳細に示すフローチャートである。【００３６】
最初に通常の計数処理モードか再鑑計数処理モードかの指定入力を操作部より受け付ける（ステップＳ１０１）。【００３７】
通常の計数処理の場合には、紙幣がホッパにセットされたことを確認し（ステップＳ１０２）、セットされたら紙幣を取り込み（ステップＳ１０３）、取り込まれた紙幣の識別計数をし（ステップＳ１０４）、集積部に紙幣を集積する（ステップＳ１０５）。ホッパに計数対象紙幣がなくなったら、計数結果を表示して終了する。【００３８】
これに対し、再鑑計数処理の場合には、計数開始前にモード指定を促し（ステップＳ１１１）、指定があると指定されたモードに応じて集積部の集積内容が設定され、ホッパに紙幣がセットされると（ステップＳ１１２）、紙幣の取り込みが開始され（ステップＳ１１３）、識別・計数が行われ（ステップＳ１１４）、識別結果に応じて適当な集積部に集積される（ステップＳ１１５）。ホッパに計数対象紙幣が無くなると（ステップＳ１１６）、計数結果が表示され（ステップＳ１１７）、集積部の紙幣をホッパに再度載置することを促すメッセージが例えば表示部に表示される。【００３９】
このメッセージにしたがって、紙幣が取り出されたかが確認され（ステップＳ１１８）、取り出しが確認されたときには、再鑑計数用の集積部割当が行われる（ステップＳ１１９）。なお、初回計数処理時に方向別にスタッカが設定されていたようなときには、再鑑計数のためにホッパに載置するときに方向を揃えるように置くことにより、計数対象紙幣を方向の揃った計数対象紙幣とすることができる。【００４０】
ホッパに紙幣が載置されたことが確認されたら（ステップＳ１２０）、スタートボタン（図示せず）が押されるか、タイマによる自動スタートで再鑑計数処理が開始され、紙幣が取り込まれる（ステップＳ１２１）。このときには集積部への集積内容はすでに変更されているので、識別部での識別結果（ステップＳ１２２）に基づいて集積部への集積が行われる（ステップＳ１２３）。【００４１】
ホッパに計数対象紙幣が無くなると（ステップＳ１２４）、初回の計数結果に加えて再鑑計数結果が表示されるが、このときには初回の計数結果との一致／不一致が表示される。特に不一致のときには（ステップＳ１２６）エラーとして、点滅表示をしたり、アラーム音の鳴動などの注意喚起が行われる（ステップＳ１２７）。
【実施例２】
【００４２】
この実施例は、図４中の再鑑モード２の場合であり、金種が混合されたものを計数対象とする。【００４３】
なお、以下の各実施例においては、ホッパ１０１への載置、取り込み、識別、集積部への収納等については実施例１と同じであるので、詳細な説明は省略し、集積部への集積態様を中心に説明する。【００４４】
再鑑モード２においては、初回計数の際に、金種と枚数を確認した上に、表裏と正立／倒立の４種類の組み合わせについて判別し、これらに割り当てられた集積部１１１−１１４に集積が行われる。なお、以下の説明ではこれらの４つの場合を総称して方向と称することがある。すなわち、表で正立の場合をＡ、裏で正立の場合をＢ、表で倒立の場合をＣ、裏で倒立の場合をＤとして
この初回計数処理終了後には各集積部内で表裏と正立／倒立は揃っているので、再鑑計数処理の際にすべての紙幣の上側が表面で正立するように載置すれば、再鑑計数処理においてはすべての紙幣の方向が揃うことになる。この実施例２においては、再鑑計数処理の際には集積部１１１−１１４にそれぞれ干円札、二千円札、五千円札及び万円札の4金種に割当てられるため、再鑑計数処理終了後には、金種と方向が揃った４つの集積束が得られることになる。
【実施例３】
【００４５】
図４中の再鑑モード３の場合であり、金種が混合されたものを計数対象とする。【００４６】
このモードでは、初回計数の際に正損につき分類し、再鑑計数の際に金種別に集積する。【００４７】
流通上問題のある券を除去するために、効率良く分類する上で便利なモードである。
【実施例４】
【００４８】
図４中の再鑑モード４の場合であり、金種が混合されたものを計数対象とする。【００４９】
このモードでは、初回計数の際に新旧と正損の４つの組み合わせについて分類するため、例えば集積部１１１には新券で正券のもの、集積部１１２には新券で損券のもの、集積部１１３には旧券で正券のもの、集積部１１４には旧券で損券のものが集積され、再鑑計数の際には金種別に集積される。したがって、初回計数時の集積部１１１−１１４内の集積紙幣を順次再鑑計数するとすれば、各金種の集積部内で、新券で正券のもの、新券で損券のもの、旧券で正券のもの、旧券で損券のものが下から順次集積されることになるので、再鑑計数処理後の取り扱いが容易となる。
【実施例５】
【００５０】
図４中の再鑑モード５の場合であり、以下の実施例５−７においては、すでに単金種に揃っているものを計数対象とする場合を示す。【００５１】
このモードでは、初回計数の際に新旧につき分類し、再鑑計数の際に方向別に集積する。
【実施例６】
【００５２】
図４中の再鑑モード６の場合である。【００５３】
このモードでは、初回計数の際に新旧につき分類し、再鑑計数の際に正損別に集積する。
【実施例７】
【００５４】
図４の再鑑モード７の場合である。  
このモードでは、初回計数の際に方向別に集積し、再鑑計数の際に、方向を揃えて載置して正損別に集積することにより方向と正損が揃ったものを容易に得ることができる。
【実施例８】
【００５５】
図４中の再鑑モード８の場合である。  
このモードでは、初回計数の際に方向別に集積し、再鑑計数の際に、方向を揃えて載置して新旧別に集積することにより方向と新旧が揃ったものを容易に得ることができる。【００５６】
実施例のいくつかを説明することにより本願発明にかかる紙幣処理装置を説明したが、本発明は実施例に限定されるものではない。【００５７】
例えば、集積部の数は、実施例のように４つに限定されるものではなく、それ以下でもそれ以上でも良い。通常は仕分け対象の紙幣の種類と一致するのが好ましい。【００５８】
集積部の割当に関しても、実施例に示したのは例であって、任意の組み合わせが可能であり、それらを予め再鑑モードとして登録しておくことにより、処理開始時に選択可能となる。  
【図１】
2008044278.tif 000003
【図２】
2008044278.tif 000004
【図３】
2008044278.tif 000005
【図４】
2008044278.tif 000006
【図５】
2008044278.tif 000007
【国際調査報告】
2008044278.tif 000008
2008044278.tif 000009